(57)【特許請求の範囲】
【請求項１】
格子部を有し、該格子部の格子の開口から吸気または排気を行う筐体を備えた画像投射装置において、
前記格子部の中央部を含む部分の厚みを、前記格子部の縁部周辺の厚みよりも厚くし、
前記格子部の厚みの厚い部分を、前記格子部の全面積の（１／５）以上（１／２）以下としたことを特徴とする画像投射装置。
【請求項２】
請求項１に記載の画像投射装置において、
前記格子部の弾性変形の範囲内で、装置内部の部品と前記格子部と接触するように構成したこと特徴とする画像投射装置。
【請求項３】
請求項２に記載の画像投射装置において、
前記格子部の中央部を含む部分が、装置内部の部品と接触するように構成したことを特徴とする画像投射装置。
【請求項４】
請求項２または３に記載の画像投射装置において、
前記装置内部の部品が、光源の光を用いて生成された画像の光束を投射面に向かって投射するための投射光学部であることを特徴とする画像投射装置。
【請求項５】
請求項１乃至４いずれかに記載の画像投射装置において、
前記格子部は、筐体の開口に、２つの格子部材を重ねて取り付けて構成されていることを特徴とする画像投射装置。
【請求項６】
請求項５に記載の画像投射装置において、
２つの格子部材のうち、内側に配置される格子部材の中央部を含む部分の厚みを、格子部材の縁部周辺の厚みよりも厚くしたことを特徴とする画像投射装置。
【請求項７】
格子部を有し、該格子部の格子の開口から吸気または排気を行う筐体を備えた画像投射装置において、
前記格子部は、筐体の開口に、２つの格子部材を重ねて取り付けて構成されており、
２つの格子部材のうち、内側に配置される格子部材の中央部を含む部分の厚みを、格子部材の縁部周辺の厚みよりも厚くしたことを特徴とする画像投射装置。
【発明の詳細な説明】
【技術分野】
【０００１】
本発明は、プロジェクタなどの画像投射装置に関するものである。
【背景技術】
【０００２】
従来から、パソコンやビデオカメラ等からの画像データを基に、光源から出射される光を用いて画像形成部により画像を形成し、その画像をスクリーン等に投射して表示する画像投射装置が知られている。
【０００３】
特許文献１には、格子部としての格子状のカバー部材が取り付けられた筐体の吸気口から装置外の空気を吸気し、装置内部の光源や電源装置などの熱源を冷却する画像投射装置が記載されている。
【発明の概要】
【発明が解決しようとする課題】
【０００４】
近年、投射画像のさらなる輝度の向上を狙って、光源への供給電力を増加させ、光源の光度を上げるなどの改良が行われている。しかし、この場合、以下の課題が発生した。すなわち、光源や電源装置の発熱量が増加し、光源や電源装置を良好に冷却できないという課題である。そこで、排気ファンの回転数を上げて、吸気口から取り込む外気を多くすることも考えられる。しかし、この場合は、排気ファンの風切り音による騒音が大きくなるという不具合が発生する。
【０００５】
また、カバー部材の格子の桟の幅（以下、格子の幅という）を狭くして、カバー部材の開口率をアップさせることで、吸気口から取り込む装置外の空気を多くすることも考えられる。しかし、この場合、格子の強度が低下し、カバー部材に物などがぶつかった際に、カバー部材が破損するなどの不具合が発生した。そこで、格子の桟の厚み（以下、格子の厚みという）を厚くすることで、開口率のアップを図りつつ、格子の強度アップを図ることも考えられる。しかし、この場合、格子の厚み分、装置が大型化してしまうという不具合が発生するおそあれがある。また、空気が格子を抜ける際の圧力損失が大きくなり、吸気口から吸気する装置外の空気を十分に増加させることができない。
【０００６】
なお、装置内の空気を排気する排気口についても同様な課題が発生する。
【０００７】
本発明は以上の課題に鑑みなされたものであり、その目的は、格子部の強度を維持しつつ格子の開口率を上げることができ、装置の大型化を抑制し、かつ、多くの空気を吸気または排気することができる画像投射装置を提供することである。
【課題を解決するための手段】
【０００８】
上記目的を達成するために、請求項１の発明は、格子部を有し、該格子部の格子の開口から吸気または排気を行う筐体を備えた画像投射装置において、前記格子部の中央部を含む部分の厚みを、前記格子部の縁部周辺の厚みよりも厚くし、前記格子部の厚みの厚い部分を、前記格子部の全面積の（１／５）以上（１／２）以下としたことを特徴とするものである。
【発明の効果】
【０００９】
格子の強度を維持しつつ格子の開口率を上げることができ、装置の大型化を抑制し、かつ、多くの空気を吸気または排気することができる。
【図面の簡単な説明】
【００１０】
【図１】本実施形態に係るプロジェクタと投影面とを示す斜視図。
【図２】（ａ）は図１の手前側から見たプロジェクタの内部の斜視図。（ｂ）は図１の奥側から見たプロジェクタの内部の斜視図。
【図３】プロジェクタから投影面までの光路図。
【図４】プロジェクタの内部構成を示す概略斜視図。
【図５】光源部の概略斜視図。
【図６】照明部に収納された光学系部品を、他の部とともに示す斜視図。
【図７】照明部と投影レンズ部と画像形成部とを図５のＡ方向から見た斜視図。
【図８】照明部内での光の光路を説明する図。
【図９】画像形成部の斜視図。
【図１０】第１光学部を、照明部と画像形成部とともに示す斜視図。
【図１１】図１０のＡ−Ａ断面図。
【図１２】第２光学部が保持する第２光学系を、投影レンズ部と照明部と画像形成部とともに示す斜視図。
【図１３】第２光学部を、第１光学部、照明部、画像形成部とともに示す斜視図。
【図１４】プロジェクタ内の空気の流れを説明する説明図。
【図１５】比較例１の吸気カバーを示す斜視図。
【図１６】比較例２の吸気カバーを示す斜視図。
【図１７】実施例の吸気カバーを示す斜視図。
【図１８】比較例１の吸気カバーの検証結果を示す図。
【図１９】比較例２の吸気カバーの検証結果を示す図。
【図２０】実施例の吸気カバーの検証結果を示す図。
【図２１】比較例２の吸気カバーと実施例の吸気カバーとの変位を比較した図。
【図２２】本実施形態の吸気カバーを示す正面図。
【図２３】吸気カバー周辺の装置の内部構成を示す斜視図。
【図２４】図２３のＣ方向から見た図。
【図２５】吸気カバーの取り付けの様子を示す斜視図。
【図２６】吸気カバーと第２投射光学系とを示す斜視図。
【図２７】光変調部と照明部と吸気ブロワと示す斜視図。
【図２８】吸気口に、２つの吸気カバーを設けた実施形態を示す斜視図。
【図２９】変形例の吸気カバーを示す斜視図。
【発明を実施するための形態】
【００１１】
以下、図面を参照して本発明の実施形態を説明する。
まず、本発明に係る受光装置を適用可能な画像投射装置の全体構成について説明する。
図１は、本発明の一実施形態に係る画像投射装置としてのプロジェクタ１とスクリーンなどの投射面２とを示す外観斜視図である。なお、以下の説明では、図１に示すように投射面２の法線方向をＸ方向、投射面の短軸方向（上下方向）をＹ方向、投射面２の長軸方向（水平方向）をＺ方向とする。
【００１２】
プロジェクタは、パソコンやビデオカメラ等から入力される画像データに基づいて投射画像を形成し、その投射画像Ｐをスクリーンなどの投射面２に投射表示する装置である。特に、液晶プロジェクタは、近来、液晶パネルの高解像化、光源（ランプ）の高効率化に伴う明るさの改善、低価格化などが進んでいる。また、微小駆動ミラー装置であるＤＭＤ（Digital Micro-mirror Device）を利用した小型軽量なプロジェクタ１が普及し、オフィスや学校のみならず家庭においても広くプロジェクタ１が利用されるようになってきている。また、フロントタイプのプロジェクタは、携帯性が向上し、数人規模の小会議にも使われるようになってきている。このようなプロジェクタでは、大画面の画像を投射できること（投射面の大画面化）とともに、「プロジェクタ外に必要とされる投射空間」をできるだけ小さくできることが要請されている。後述のように、本実施形態のプロジェクタ１は、投射レンズ等の透過光学系を投射面２と平行に設定し、折り返しミラーで光束を折り返した後、自由曲面ミラーで光束を投射面２に対して拡大投射するように構成されている。この構成により、光学エンジン部を縦型で３次元的に小型化を図ることができる。
【００１３】
プロジェクタ１の上面には、投射画像Ｐの光束が出射する防塵ガラス５１が設けられており、防塵ガラス５１を通過した光束が投射面２に投射される。また、プロジェクタ１の上面には、ユーザーがプロジェクタ１を操作するための操作部８３が設けられている。また、プロジェクタ１の側面には、ピント調整のためのフォーカスレバー３３が設けられている。
【００１４】
図２はプロジェクタ１の本体カバーを外して内部を見た内部斜視図である。図２（ａ）は図１の手前側から見たプロジェクタ１の内部の斜視図、図２（ｂ）は図１の奥側から見たプロジェクタ１の内部の斜視図である。また、図３は、プロジェクタ１から投射面２までの光路図である。
プロジェクタ１は、光学エンジン部１００と、白色光を発する光源を有する光源部６０とを備えている。光学エンジン部１００は、光源からの光を用いて画像を形成する画像形成手段としての画像形成部１０１と、画像形成部１０１で形成した画像の光束を投射面２に投射するための投射光学部１０２とを備えている。
【００１５】
画像形成部１０１は、反射面の傾きを変化させるように駆動可能な多数の微小ミラーを有する微小駆動ミラー装置であるＤＭＤ１２を有する光変調部１０と、光源からの光を折り返してＤＭＤ１２に照射する照明部２０とを用いて構成されている。投射光学部１０２は、透過型の屈折光学系を少なくとも一つ含み正のパワーを有する共軸系の光学系７０を備えた第１投射光学系３０と、折り返しミラー４１と正のパワーを有する曲面ミラー４２とを有する第２投射光学系４０とを用いて構成されている。
【００１６】
ＤＭＤ１２は、光源からの光が照明部２０によって照射され、この照明部２０によって照射された光を変調することで画像を生成する。ＤＭＤ１２によって生成された光像は、第１投射光学系３０の光学系７０、第２投射光学系４０の折り返しミラー４１及び曲面ミラー４２を介して、投射面２に投射される。
【００１７】
図４は、プロジェクタ１の内部に設けられた光学エンジン部１００及び光源部６０の斜視図である。
図４に示すように、光学エンジン部１００を構成している光変調部１０と照明部２０と第１投射光学系３０と第２投射光学系４０とが、投射面２および投射画像Ｐの像面と平行な方向のうち図中Ｙ方向に並べて配置されている。また、照明部２０の図中右側には、光源部６０が配置されている。なお、図４に示す符号３２ａ１、３２ａ２は、第１投射光学系３０のレンズホルダー３２の脚部であり、符号２６３は、光変調部１０を照明部２０にネジ止めするためのネジ止め部である。
図５は、光源部６０の概略斜視図である。
光源部６０は、光源ブラケット６２を有しており、光源ブラケット６２の上部にハロゲンランプ、メタルハライドランプ、高圧水銀ランプなどの光源６１が装着さている。また、光源ブラケット６２には、不図示の電源部に接続された電源コネクタと接続するコネクタ部６２ａが設けられている。コネクタ部６２ａは、光源部６０の長手方向（Ｚ方向）一端側に設けられている。
【００１８】
また、光源ブラケット６２の上部の光源６１の光出射側（光源部６０の長手方向他端側）には、図示しないリフレクタなどが保持された保持部材としてのホルダ６４がネジ止めされている。ホルダ６４の光源６１配置側と反対側の面には、出射窓６３が設けられている。光源６１から出射した光は、ホルダ６４に保持された不図示のリフレクタにより出射窓６３に集光され、出射窓６３から出射する。
【００１９】
また、ホルダ６４の上面と、ホルダ６４の下面のＸ方向両端には、光源部６０を照明部２０の照明ブラケット２６（図６参照）に位置決めするため光源位置決め部６４ａ１、６４ａ２、６４ａ３が設けられている。ホルダ６４の下面に設けられた２つの光源位置決め部６４ａ１,６４ａ２は穴形状となっている。一方、ホルダ６４の上面に設けられた光源位置決め部６４ａ３は、突起形状となっている。
【００２０】
また、ホルダ６４の側面には、光源６１を冷却するための空気が流入する光源給気口６４ｂが設けられており、ホルダ６４の上面には、光源６１の熱により加熱された空気が排気される光源排気口６４ｃが設けられている。
【００２１】
光源ブラケット６２には、光源部６０の交換の際に使用者が指で摘んで光源部６０を取り出す取っ手部６８が設けられている。取っ手部６８は、光源ブラケット６２の長手方向（図中Ｚ方向）において、コネクタ部６２ａと光源位置決め部６４ａ１,６４ａ２の略中央部に回動自在に光源ブラケット６２に取り付けられている。この取っ手部６８は図示した形状以外にも人が指先で摘める程度に適度な形状であってもよい。
【００２２】
図６は、照明部２０に収納された光学系部品を他の構成部品とともに示す照明部２０の斜視図である。
図７に示すように、照明部２０は、カラーホイール２１、ライトトンネル２２、２枚のリレーレンズ２３、シリンダミラー２４、凹面ミラー２５を有しており、これらは、照明ブラケット２６に保持されている。照明ブラケット２６は、２枚のリレーレンズ２３、シリンダミラー２４、凹面ミラー２５が収納される筐体状の部分２６１を有しており、この筐体状の部分２６１の４つの側面部のうち、図中右側のみ側面を有し、他の３面は、開口した形状となっている。そして、図中Ｘ方向の奥側の側面部開口には、ＯＦＦ光板２７（図８参照）が取り付けられており、図中Ｘ方向手前側の側面部開口には、いずれの図面にも図示されていないカバー部材が取り付けられる。これにより、照明ブラケット２６の筐体状の部分２６１に収納される２枚のリレーレンズ２３、シリンダミラー２４、凹面ミラー２５は、照明ブラケット２６と、ＯＦＦ光板２７と、いずれの図面にも図示されていないカバー部材とにより覆われる。
【００２３】
また、照明ブラケット２６の筐体状の部分２６１の下面には、ＤＭＤ１２が露出するための照射用貫通孔２６ｄを有している。
【００２４】
また、照明ブラケット２６には、３つの脚部２９を有している。これら脚部２９は、プロジェクタ１のベース部材５３（図１３参照）に当接して、照明ブラケット２６に積み重ねて固定される第１投射光学系３０、第２投射光学系４０の重量を支持している。また、脚部２９を設けることにより、光変調部１０のＤＭＤ１２を冷却するための冷却手段としてのヒートシンク１３（図８参照）に、外気が流入するための空間を形成する。
【００２５】
なお、図６に示す符号３２ａ３、３２ａ４は、第１投射光学系３０のレンズホルダー３２の脚部であり、符号４５ａ３は、第２投射光学系４０のネジ止め部４５ａ３である。
【００２６】
図７は、照明部２０と投射レンズ部３１と光変調部１０とを図６のＡ方向から見た斜視図である。
照明ブラケット２６の筐体状の部分２６１の上部には、図中Ｙ方向に対して直交する上面２６ｂが設けられている。この上面２６ｂの４角には、第１投射光学系３０をネジ止めするためのネジが貫通する貫通孔が設けられている（図７では、貫通孔２６ｃ１と２６ｃ２とが図示されており、残りの貫通孔については、不図示）。また、図中Ｘ方向手前側の貫通孔２６ｃ１,２６ｃ２に隣接して、第１投射光学系３０を照明部２０に位置決めするための位置決め孔２６ｅ１,２６ｅ２が設けられている。図中Ｘ方向手前側に設けられた２個の位置決め孔のうち、カラーホイール２１配置側の位置決め孔２６ｅ１は、位置決めの主基準であり、丸穴形状となっている。また、カラーホイール２１配置側と反対側の位置決め孔２６ｅ２は、位置決めの従基準であり、Ｚ方向に延びる長穴となっている。また、各貫通孔２６ｃ１,２６ｃ２の周囲は、照明ブラケット２６の上面２６ｂよりも突出しており、第１投射光学系３０をＹ方向に位置決めするための位置決め突起２６ｆとなっている。位置決め突起２６ｆを設けずに、Ｙ方向の位置精度を高める場合、照明ブラケット２６の上面全体の平面度を高める必要があり、コスト高になる。一方、位置決め突起２６ｆを設けることで、位置決め突起２６ｆの部分だけ、平面度を高めればよいので、コストを抑えて、Ｙ方向の位置精度を高めることができる。
【００２７】
また、照明ブラケット２６上面の開口部には、投射レンズ部３１の下部が嵌合する遮光板２６２が設けられており、上方から筐体状の部分２６１内への光の進入を防いでいる。
【００２８】
また、照明ブラケット２６の上面２６ｂの貫通孔２６ｃ１,２６ｃ２の間は、後述するように、第２投射光学系４０を、第１投射光学系３０にネジ止めする際に邪魔とならないように切り欠いている。
【００２９】
照明ブラケット２６のカラーホイール２１側端部（図中Ｚ方向手前側）には、前述の光源部６０のホルダ６４上面に設けられた突起状の光源位置決め部６４ａ３（図５参照）が嵌合する上下方向に貫通孔が形成された筒状の光源被位置決め部２６ａ３が設けられている。また、この光源被位置決め部２６ａ３の下方には、ホルダ６４の光源ブラケット６２側に設けられた２つの穴形状の光源位置決め部６４ａ１,６４ａ２が嵌合する突起状の２個の光源被位置決め部２６ａ１,２６ａ２が設けられている。そして、ホルダ６４の３つの光源位置決め部６４ａ１〜６４ａ３が、照明部２０の照明ブラケット２６に設けられた３箇所の光源被位置決め部２６ａ１〜２６ａ３に嵌合することで、光源部６０は、照明部２０に位置決め固定される（図４参照）。
【００３０】
また、照明ブラケット２６には、カラーホイール２１、ライトトンネル２２を覆う、照明カバー２８が取り付けられている。
【００３１】
図８は、照明部２０内の光路Ｌを示す説明図である。
カラーホイール２１は、円盤形状のものであり、カラーモータ２１ａのモータ軸に固定されている。カラーホイール２１には、回転方向にＲ（レッド）、Ｇ（グリーン）、Ｂ（ブルー）などのフィルタが設けられている。光源部６０のホルダ６４に設けられた不図示のリフレクタにより集光された光は、出射窓６３を通って、カラーホイール２１の周端部に到達する。カラーホイール２１の周端部に到達した光は、カラーホイール２１の回転により時分割でＲ、Ｇ，Ｂの光に分離される。
【００３２】
カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされてリレーレンズ２３へ向けて出射する。
【００３３】
ライトトンネル２２を抜けた光は、２枚のリレーレンズ２３を透過し、シリンダミラー２４、凹面ミラー２５により反射され、ＤＭＤ１２の画像生成面上に集光して結像される。
【００３４】
図９は、光変調部１０の斜視図である。
図９に示すように光変調部１０は、ＤＭＤ１２が装着されるＤＭＤボード１１を備えている。ＤＭＤ１２は、マイクロミラーが格子状に配列された画像生成面を上向きにしてＤＭＤボード１１に設けられたソケット１１ａに装着されている。ＤＭＤボード１１には、ＤＭＤミラーを駆動するための駆動回路などが設けられている。ＤＭＤボード１１の裏面（ソケット１１ａが設けられた面と反対側の面）には、ＤＭＤ１２を冷却するための光変調素子冷却手段としてのヒートシンク１３が固定されている。ＤＭＤボード１１のＤＭＤ１２が装着される箇所は、図示しない貫通孔を貫通している。ヒートシンク１３には、この貫通孔に挿入される突起部１３ａ（図８参照）が形成されている。突起部１３ａの先端は、平面状になっている。突起部１３ａを不図示の貫通孔に挿入して、ＤＭＤ１２の裏面（画像生成面と反対側の面）に突起部１３ａ先端の平面部を当接させている。この平面部やＤＭＤ１２の裏面のヒートシンク１３が当接する箇所に弾性変形可能な伝熱シートを貼り付けて、突起部１３ａの平面部とＤＭＤ１２の裏面との密着性を高めて、熱伝導性を高めてもよい。
【００３５】
ヒートシンク１３は、固定部材１４により、ＤＭＤボード１１のソケット１１ａが設けられた面と反対側の面に加圧されて固定される。固定部材１４は、ＤＭＤボード１１の裏面の図中右側の部分に対向する板状の固定部１４ａと、ＤＭＤボード１１の裏面の図中左側の部分に対向する板状の固定部１４ａとを有している。各固定部のＸ方向一端付近と他端付近とには、左右の固定部を連結するように設けられた押圧部１４ｂを有している。
【００３６】
ヒートシンク１３は、光変調部１０を照明ブラケット２６（図７参照）にネジ止めすると、固定部材１４により、ＤＭＤボード１１のソケット１１ａが設けられた面と反対側の面に加圧されて固定される。
【００３７】
以下に、光変調部１０の照明ブラケット２６の固定について、説明する。まず、ＤＭＤ１２が、先の図６で示した照明部２０の照明ブラケット２６下面に設けられた照射用貫通孔２６ｄの開口面と対向するように、光変調部１０を照明ブラケット２６に位置決めする。次に、固定部１４ａに設けられた不図示の貫通孔と、ＤＭＤボード１１の貫通孔１５とを貫通するように図中下側からネジを挿入する。そして、ネジを照明ブラケット２６に設けられたネジ止め部２６３（図４参照）の下面に設けられたネジ穴にねじ込んで、光変調部１０を照明ブラケット２６に固定する。また、照明ブラケット２６に設けられたネジ止め部２６３にネジをねじ込んでいくと、押圧部１４ｂが、ヒートシンク１３をＤＭＤボード側押圧していく。これにより、ヒートシンク１３が、固定部材１４により、ＤＭＤボード１１のソケット１１ａが設けられた面と反対側の面に加圧されて固定される。
【００３８】
このように、光変調部１０は、照明ブラケット２６に固定され、先の図６に示した３つの脚部２９は、光変調部１０の重量も支持している。
【００３９】
ＤＭＤ１２の画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、先の図８の矢印Ｌ２に示すように、光源６１からの光を第１光学系７０（図３参照）に向けて反射する。「ＯＦＦ」のときは、先の図７に示す照明ブラケット２６の側面に保持されたＯＦＦ光板２７に向けて光源６１からの光を反射する（図８の矢印Ｌ１参照）。従って、各ミラーを個別に駆動することにより、画像データの画素ごとに光の投射を制御することができ、画像を生成することができる。
【００４０】
不図示のＯＦＦ光板２７に向けて反射された光は、熱となって吸収され外側の空気の流れで冷却される。
【００４１】
図１０は、第１投射光学系３０を照明部２０と光変調部１０とともに示す斜視図である。
図１１に示すように、第１投射光学系３０は、照明部２０の上方に配置されており、複数のレンズで構成された第１光学系７０（図３参照）を保持した投射レンズ部３１と、この投射レンズ部３１を保持するレンズホルダー３２とを有している。レンズホルダー３２には、下方へ延びる４つの脚部３２ａ１〜３２ａ４が設けられており（図１０には、脚部３２ａ２,３２ａ３のみ図示されている。脚部３２ａ１は、図４参照、脚部３２ａ４は、図６参照）、各脚部３２ａ１〜３２ａ４の底面には、照明ブラケット２６にねじ止めされるためのネジ穴が形成されている。
【００４２】
また、投射レンズ部３１には、フォーカスギヤ３６が設けられており、フォーカスギヤ３６には、アイドラギヤ３５が噛み合っている。アイドラギヤ３５には、レバーギヤ３４が噛み合っており、レバーギヤ３４の回転軸には、フォーカスレバー３３が固定されている。フォーカスレバー３３の先端部分は、先の図１に示すように、装置本体から露出している。
【００４３】
フォーカスレバー３３を動かすと、レバーギヤ３４、アイドラギヤ３５を介して、フォーカスギヤ３６が回動する。フォーカスギヤ３６が回動すると、投射レンズ部３１内の第１光学系７０を構成する複数のレンズが、それぞれ所定の方向へ移動し、投射画像のピントが調整される。
【００４４】
また、レンズホルダー３２には、４箇所、第２投射光学系４０を第１投射光学系３０にネジ止めするためのネジ４８が貫通するネジ貫通孔３２ｃ１〜３２ｃ３を有している（図１０では、３個のネジ貫通孔が図示されており、各ネジ貫通孔３２ｃ１〜３２ｃ３には、ネジ４８を貫通させた様子が示されており、図で見えているのは、ネジ４８のネジ部の先端側である。）。また、各ネジ貫通孔３２ｃ１〜３２ｃ４の周囲は、レンズホルダー３２の面から突出した第２投射光学系位置決め突起３２ｄ１〜３２ｄ３が形成されている（図１０では、３２ｄ１〜３２ｄ３が図示されている）。
【００４５】
図１１は、第２投射光学系４０が備える第２光学系を、投射レンズ部３１と照明部２０と光変調部１０とともに示す斜視図である。図１１に示すように、第２投射光学系４０は、第２光学系を構成する折り返しミラー４１と、凹面状の曲面ミラー４２とを備えている。曲面ミラー４２の光を反射する面は、球面、回転対称非球面、自由曲面形状などにすることができる。
【００４６】
図１２は、第２投射光学系４０を、第１投射光学系３０、照明部２０、光変調部１０とともに示す斜視図である。図１２に示すように、第２投射光学系４０は、曲面ミラー４２から反射した光像を透過するとともに、装置内の光学系部品を防塵するための防塵ガラス５１も備えている。
【００４７】
第２投射光学系４０は、折り返しミラー４１と防塵ガラス５１とを保持するミラーブラケット４３を有している。また、曲面ミラー４２を保持する自由ミラーブラケット４４、ミラーブラケット４３および自由ミラーブラケット４４が取り付けられるミラーホルダー４５も有している。
【００４８】
ミラーホルダー４５は、箱型の形状をしており、上面、下面および図中Ｘ方向奥側が開口しており、上から見たとき、略コの字状の形状をしている。ミラーホルダー４５の上部開口のＺ方向手前側と奥側とのそれぞれでＸ方向に延びる縁部は、図中Ｘ方向手前側端部からＸ方向奥側へ行くにつれて、上昇するように傾斜した傾斜部と、図中Ｘ方向と平行な平行部とで構成されている。また、傾斜部が、平行部より図中Ｘ方向手前側にある。また、ミラーホルダー４５の上部開口の図中Ｘ方向手前側のＺ方向に延びる縁部は、図中Ｚ方向と平行になっている。
【００４９】
ミラーブラケット４３は、ミラーホルダー４５の上部に取り付けられる。ミラーブラケット４３は、ミラーホルダー４５の上部開口縁部の傾斜部と当接する図中Ｘ方向手前側端部からＸ方向奥側へ行くにつれて、上昇するように傾斜した傾斜面４３ａを有している。また、ミラーホルダー４５の上部開口部縁部の平行部と当接するＸ方向に平行な平行面４３ｂも有している。傾斜面４３ａと平行面４３ｂとは、それぞれ開口部を有しており、傾斜面４３ａの開口部を塞ぐように、折り返しミラー４１が保持されており、平行面４３ｂの開口部を塞ぐように防塵ガラス５１が保持されている。
【００５０】
折り返しミラー４１は、板バネ状のミラー押さえ部材４６によりＺ方向両端が、ミラーブラケット４３の傾斜面４３ａに押し付けられることにより、ミラーブラケット４３の傾斜面４３ａに位置決め保持されている。折り返しミラー４１のＺ方向の一方側端部には、２個のミラー押さえ部材４６により固定されており、他方側端部には、１個のミラー押さえ部材４６により固定されている。
【００５１】
防塵ガラス５１は、Ｚ方向両端が、板バネ状のガラス押さえ部材４７によりミラーブラケット４３の平行面４３ｂに押し付けられることにより、ミラーブラケット４３に位置決め固定されている。防塵ガラス５１は、Ｚ方向両端それぞれ１個のガラス押さえ部材４７により保持されている。
【００５２】
曲面ミラー４２を保持する自由ミラーブラケット４４は、図中Ｘ方向奥側から手前側へ向けて下降するように傾斜した腕部４４ａをＺ軸方向手前側と奥側とに有している。また、自由ミラーブラケット４４は、腕部４４ａの上部でこれら二つの腕部４４ａを連結する連結部４４ｂを有している。自由ミラーブラケット４４は、ミラーホルダー４５の図中Ｘ方向奥側の開口を曲面ミラー４２が覆うように、腕部４４ａがミラーホルダー４５に取り付けられている。
【００５３】
曲面ミラー４２は、防塵ガラス５１側端部の略中央部が、板バネ状の自由ミラー押さえ部材４９により自由ミラーブラケット４４の連結部４４ｂに押し付けられる。また、曲面ミラー４２の第１光学系側の図中Ｚ軸方向両端が、ネジにより自由ミラーブラケット４４の腕部４４ａに固定される。
【００５４】
第２投射光学系４０は、第１投射光学系３０のレンズホルダー３２に積載固定される。具体的には、ミラーホルダー４５の下部には、レンズホルダー３２の上面と対向する下面４５１が設けられている。この下面４５１には、第１投射光学系３０にネジ止めするための筒状形状のネジ止め部４５ａ１〜４５ａ３が４箇所、形成されている（ネジ止め部４５ａ１、４５a２は、図１２参照。ネジ止め部４５ａ３は、図６参照、残りのネジ止め部は、不図示）。第２投射光学系４０は、第１投射光学系３０のレンズホルダー３２に設けられた各ネジ貫通孔３２ｃ１〜３２ｃ３にネジ４８を貫通させ、各ネジ止め部４５ａ１〜４５ａ３にネジ４８をネジ止めすることにより、第１投射光学系３０にネジ止めされる。このとき、第２投射光学系４０のミラーホルダー４５の下面が、レンズホルダー３２の第２投射光学系位置決め突起３２ｄ１〜３２ｄ４と当接して、第２投射光学系４０は、Ｙ方向に位置決めされて固定される。
【００５５】
第２投射光学系４０を第１投射光学系３０のレンズホルダー３２に積載固定すると、先の図１０に示すように、投射レンズ部３１のレンズホルダー３２よりも上部の部分が、第２投射光学系４０のミラーホルダー４５内に収納される。また、第２投射光学系４０を、レンズホルダー３２に積載固定したとき、曲面ミラー４２とレンズホルダー３２との間には、隙間があり、その隙間にアイドラギヤ３５（図１０参照）入り込んでいるような形となる。
【００５６】
図１３は、第１光学系７０から投射面２（スクリーン）までの光路を示す斜視図である。
第１光学系７０を構成する投射レンズ部３１を透過した光束は、折り返しミラー４１と曲面ミラー４２との間で、ＤＭＤ１２で生成された画像に共役な中間像を形成する。この中間像は、折り返しミラー４１と曲面ミラー４２との間に曲面像として結像される。次に、中間像を結像した後の発散する光束は、凹面状の曲面ミラー４２に入射し、収束光束になり、曲面ミラー４２により中間像を「さらに拡大した画像」にして投射面２に投射結像する。
【００５７】
このように、投射光学系を、第１光学系７０と、第２光学系とで構成し、第１光学系７０と第２光学系の曲面ミラー４２との間に中間像を形成し、曲面ミラー４２で拡大投射することで、投射距離を短くでき、狭い会議室などでも使用することができる。
【００５８】
また、図１３に示すように、照明ブラケット２６には、第１投射光学系３０、第２投射光学系４０が積載固定される。また、光変調部１０も固定される。よって、照明ブラケット２６の脚部２９が、第１投射光学系３０、第２投射光学系４０および光変調部１０の重量を支える形でベース部材５３に固定される。
【００５９】
先の図１に示すように、プロジェクタ１の外装カバー５９の一方のＹ−Ｘ平面には、装置外の空気を吸気するための開口した吸気口が設けられている。この吸気口には、格子が形成された吸気カバー８４ａが取り付けられている。
【００６０】
図１４に示すように、外装カバー５９の吸気口が設けられた面と反対側の面には、格子が形成された排気カバー８５ａが取り付けられた排気口８５が設けられており、この排気口８５に対向するように排気ファン８６が設けられている。この排気ファン８６により装置内の光源などにより加熱された空気を、排気口８５から排気することで、装置内を負圧にし、吸気口８４から装置外の空気が吸気される。この吸気口８４から吸気された空気が、光源などの発熱源へ流れ、発熱源を空冷した後、排気ファン８６により排気口８５を通って排気される。
【００６１】
次に、本実施形態の特徴点について説明する。
近年、投射画像のさらなる高画質化が求められている。このような投射画像の高画質化の要求に答えるべく、光源への供給電力を増加させ、光源の光度を上げて投射画像の輝度を向上させている。しかし、この場合、光源への供給電力を増加させることで、装置内の電源装置や光源６１の発熱量が増加し、光源などの発熱源の冷却を良好に行えないという不具合が発生した。そこで、排気ファン８６の回転数を上げて、吸気口８４から取り込む外気を多くすることも考えられる。しかし、この場合は、排気ファン８６の風切り音による騒音が大きくなるという不具合が発生する。
【００６２】
このため、吸気カバー８４ａの格子の幅を狭くして、開口率を上げることで、吸気口から空気を取り込みやすくすることが考えられる。しかし、この場合、格子の強度が低下し、吸気カバー８４ａに物などがぶつかったときに、吸気カバー８４ａが破損してしまうおそれがあった。格子の厚さを厚く（奥行き方向長さを長くする）すれば、吸気カバー８４ａの開口率を上げつつ、格子の強度低下を抑制できるが、その場合、装置の大型化に繋がるという不具合が発生する。また、格子を通過する際の圧力損失が増加し、開口率を上げた効果を十分に発揮できないという不具合も発生する。
【００６３】
そこで、本出願人は、下記する検証試験を行って、吸気カバー８４ａの開口率を上げつつ、格子の強度低下を抑制でき、しかも、装置の大型化を抑制でき、格子を通過する際の圧力損失の増加を抑制できる吸気カバー８４ａの形状をつきとめた。以下に、本出願人が行った検証試験について説明する。
【００６４】
検証試験は、吸気カバーを簡易化したモデルについの中央部に力Ｆが加わったときの変形をＦＥＭ解析で検証した。吸気カバーに加える力Ｆは、「J60950 情報技術機器の安全性 ４.2.5 衝撃試験」を行ったときに吸気カバーに加わる力である。上記「J60950 情報技術機器の安全性 ４.2.5 衝撃試験」は、直径が約５０［ｍｍ］で、重量が５００［ｇ］±２５［ｇ］の硬くて表面が滑らかな鋼鉄を垂直距離１．３ｍｍのところから試験サンプル上に自然落下させる試験である。
【００６５】
検証試験は、以下の３つの吸気カバーについて行った。すなわち、図１５に示す厚みｄ［ｍｍ］の吸気カバー１８４ａ（以下、比較例１の吸気カバーという）、図１６に示す比較例１の吸気カバー１８４ｂよりも厚い吸気カバー１８４ｂ（以下、比較例２の吸気カバーという）、図１７に示す中央部のみ厚くした吸気カバー１８４ｃ（以下、実施例の吸気カバーという）である。各吸気カバーの格子の幅は、同じである。
【００６６】
図１８は、比較例１の吸気カバー１８４ａの検証結果を示す図であり、図１９は、比較例２の吸気カバー１８４ｂの検証結果を示す図であり、図２０は、実施例の吸気カバー１８４ｃの検証結果を示す図である。また、図２１は、比較例２の吸気カバーの変位と、実施例の吸気カバー１８４ｃの変位とを比べた図である。
【００６７】
比較例１の吸気カバー１８４ａにおいては、ＦＥＭ解析の結果、中央部分に応力が集中していることが確認された。比較例２の吸気カバー１８４ｂにおいても、比較例１の吸気カバー１８４ａと同様に中央部分に応力が集中していることが確認された。しかし、この時発生した応力は、比較例１の吸気カバー１８４ａで発生した応力の２７％であって、７割近く応力が減少しており、吸気カバーの強度が上がっていることが確認された。
【００６８】
実施例の吸気カバー１８４ｂに発生した応力は、比較例１の吸気カバー１８４ａで発生した応力の２９％であった。このように、実施例の吸気カバー１８４ｃは、全体を厚くした比較例２の吸気カバー１８４ｂと同程度の強度であることが確認された。これは、以下の理由からである。すなわち、実施例１の吸気カバー１８４ｃは、比較例１、２の吸気カバーとは異なり、中央部以外にも応力が発生しており、応力が分散していることが確認された。図２１から明らかなように、実施例の吸気カバー１８４ｃは、中央部以外（吸気カバー縁部周辺）の変位量が、比較例２の吸気カバー１８４ｂの変位量よりも多い。このことから、実施例の吸気カバー１８４ｃは、比較例１、２の吸気カバーとは異なり、全体的に撓んで、衝撃を吸収していることが確認された。このように、実施例の吸気カバー１８４ｃは、全体的に撓んで、衝撃を吸収することによって、実施例の吸気カバー１８４ｃは、全体を厚くした比較例２の吸気カバー１８４ｂと同程度の強度にできたのである。
【００６９】
この検証試験からわかるように、吸気カバー１８４ｃの中央部のみを厚くすれば、全体を厚くした場合と同程度の強度アップを図ることができ、これにより、比較例１の吸気カバーに比べて、吸気カバーの破損を抑制することができる。また、中央部付近に比べて厚みの薄い吸気カバーの縁部周辺に対向配置された装置内の部材を、中央部よりも格子に近づけて配置することができる。これにより、格子全体の厚みを厚くした比較例２の吸気カバーに比べて、装置の大型化を抑制することができる。また、吸気カバーの縁部周辺の格子を通過する空気の圧力損失を厚みの厚い中央部付近に比べて抑えることができる。これにより、格子全体を厚くした比較例２の吸気カバーに比べて、空気の圧力損失を抑えることができ、多くの空気を吸気または排気することができる。これにより、ファンの回転数を上げなくとも、多くの空気を吸排気することができ、効率的に、装置内の光源や電源装置などの熱源を空冷することができる。また、比較例２に比べて、吸気カバーの材料費を削減することができ、装置のコストダウンを図ることも可能となる。
【００７０】
格子の厚みの厚い部分は、吸気カバー８４ａの全面積の（１／５）〜（１／２）程度にするのが好ましい。（１／５）未満であると、補強効果が十分に得られないおそれがある。一方、（１／２）を超えると、比較例２の吸気カバー８４ａに対する効果が十分に得られない。
【００７１】
次に、本実施形態の吸気カバーについて説明する。
図２２は、本実施形態の吸気カバーを示す正面図である。
図２２に示すように、本実施形態の吸気カバー８４ａには、装置に取り付けるためのネジが貫通する貫通孔２８４が形成されている。
【００７２】
図２３は、吸気カバー周辺の装置の内部構成を示す斜視図であり、図２４は、図２３のＣ方向から見た図である。また、図２５は、吸気カバー８４ａの取り付けの様子を示す斜視図であり、図２６は、吸気カバー８４ａと第２投射光学系４０とを示す斜視図である。
【００７３】
図２３、図２４に示すように、吸気カバー８４ａは、第２投射光学系４０とＤＭＤなどを制御する制御基板５０と対向している。
【００７４】
図２５に示すように、吸気カバー８４ａは、制御基板５０が固定されている固定部材５２に固定されている。具体的には、先の図２２に示した吸気カバー８４ａの貫通孔２８４にネジを差し込んで、ネジを固定部材５２に締結することにより、吸気カバー８４ａが固定部材５２に取り付けられる。
【００７５】
図２５に示すように、本実施形態の吸気カバー８４ａの中央部から図中左側の部分にかけて、他の格子よりよりも厚みが厚い補強格子部２８５が設けられている。また、この補強格子部２８５から、上下方向に延びる格子を形成する複数の桟のうち数本も、他よりも厚く構成された補強桟２８６となっている。上記制御基板５０は、吸気カバー８４ａの中央部よりも図中右側の厚みの薄い部分と対向するように配置されている。また、図２５のＤ方向からみたとき、上記制御基板５０の一部が、補強格子部２８５と重なるように配置されている。
【００７６】
吸気カバー８４ａの全体を、補強格子部２８５と同じ厚みにした場合、吸気カバー８４ａの強度は、向上するが、制御基板５０が、格子の厚み分、図２５の構成に比べて、図中Ｚ方向にずれた位置に配置されることになる。その結果、装置がその厚み分だけ、大型化する。一方、本実施形態においては、吸気カバーの制御基板５０が対向する部分の厚みは、格子の幅が大きく開口率が小さい従来の構成と同程度である。従って、開口率を大きくしつつ、強度の低下を抑え、なおかつ、装置の大型化を抑制することができる。
【００７７】
図２６に示すように、吸気カバー８４ａの補強格子部２８５や補強桟２８６が形成された部分は、第２投射光学系４０と対向している。具体的には、第２投射光学系４０は、吸気カバー８４ａの弾性変形範囲内に対向配置されている。かかる構成とすることにより、吸気カバー８４ａに物がぶつかって装置内部側へ弾性変形したとき、吸気カバー８４ａの補強格子部２８５が、第２投射光学系４０の自由ミラーブラケット４４の腕部４４ａに接触する。これにより、吸気カバー８４ａは、厚みのある補強格子部２８５が、第２投射光学系４０で支えられるような形態となり、吸気カバー８４ａが受けた衝撃を吸収することができる。これにより、吸気カバー８４ａの破損をより一層抑制することができる。
【００７８】
次に、プロジェクタ内での空気流れについて説明する。
図１４は、本実施形態のプロジェクタ１内の空気の流れを説明する説明図である。この図は、プロジェクタ１を投射面２に対して直交する方向（Ｘ方向）から見た図である。
図１４に示すように、プロジェクタ１の側面の一方（図中左側）にプロジェクタ１内に装置外の空気を取り込む吸気口８４が設けられている。吸気口８４には、上述した吸気カバー８４ａが取り付けられている。また、プロジェクタ１の側面の他方（図中右側）には、プロジェクタ１内の空気を排気する排気口８５が設けられている。排気口８５には、格子状の排気カバー８５ａが取り付けられている。また、排気カバー８５ａと対向するように、排気ファン８６が設けられている。
【００７９】
排気口８５と吸気口８４の一部は、プロジェクタ１を投射面２に対して直交する方向（Ｘ方向）から見たとき、光源部６０と操作部８３との間となるように設けられている。吸気口８４から取り込まれた外気は、第２投射光学系４０のミラーホルダ４５のＺＹ平面や曲面ミラー４２の裏面にまわりこんで、ミラーホルダ４５や曲面ミラー４２の裏面に沿いながら、排気口８５へ向かって移動する。光源部６０の上方に配置された電源部８０は、３枚の基板の配置によって、コの字の光源部６０側が開いた形状をしている。ミラーホルダ４５や曲面ミラー４２の裏面に沿いながら、排気口８５へ向かって移動してきた空気は、電源部８０に囲われた空間へ流れ、排気口８５から排出される。
【００８０】
排気口８５と吸気口８４が、プロジェクタ１を投射面２に対して直交する方向（Ｘ方向）から見たとき、光源部６０と操作部８３との間となるように設けることで、以下の効果を得ることができる。すなわち、光源部６０と操作部８３との間を通って、排気口８５から排出される気流を生じさせることができるという効果である。
【００８１】
また、光源部６０の近傍に光源ブロワ９５が配置されている。光源ブロワ９５により吸引された空気は、光源ダクト９６を通って、ホルダ６４の光源給気口６４ｂ（図５参照）へ流入する。また、光源ダクト９６へ流入した空気の一部は、光源ダクト９６の外装カバー５９（図１参照）との対向面に形成された開口部９６ａから光源ハウジング９７と外装カバー５９との間に流れる。
【００８２】
光源ダクト９６の開口部９６ａから光源ハウジング９７と外装カバー５９との間に流れてきた空気は、光源ハウジング９７と外装カバー５９とを冷却した後、排気ファン８６によって排気口８５から排出される。
【００８３】
また、光源給気口６４ｂへと流れた空気は、光源６１へ流入し、光源６１を冷却した後、ホルダ６４の上面に設けられた光源排気口６４ｃから排気される。光源排気口６４ｃから排気された空気は、光源ハウジング９７上面の開口部から電源部８０に囲われた空間へ排気される。その後、吸気口８４から電源部８０の囲われた空間に流れ込んできた低温の空気と混ざった後、排気ファン８６により排気口８５から排出される。このように、光源排気口６４ｃから排気された高温の空気を、外気と混合させてから排気することにより、排気口８５から排気される空気が高温となるのを抑制することができる。
【００８４】
また、ユーザーが操作する操作部８３は、ユーザーが操作しやすいように、装置の上面に設けるのが好ましい。しかし、本実施形態においては、プロジェクタ１上面に、投射面２に画像を投射するための防塵ガラス５１を設けているため、プロジェクタをＹ方向から見たとき、光源６１と重なる位置に、操作部８３を設ける必要がある。
【００８５】
本実施形態においては、光源部６０と操作部８３との間に吸気口８４から排気口８５へ向かって流れる気流で、光源６１を冷却して高温となった空気を、排気口８５へ向けて排気するので、この高温の空気が、操作部８３へ移動するのを抑制することができる。これにより、光源６１を冷却して高温となった空気で、操作部８３が温度上昇するのを抑制することができる。また、吸気口８４から第２投射光学系４０を周り込んで、排気口８５へ向かって流れる空気の一部は、操作部８３の真下を通って、操作部８３を冷却する。このことも、操作部８３の温度上昇を抑制することができる。
【００８６】
また、装置本体の図中左下側には、光変調部１０のヒートシンク１３や、光源部６０の光源ブラケット６２などを冷却する冷却部１２０が配置されている。冷却部１２０は、吸気ブロワ９１、水平ダクト９３を有している。
【００８７】
図２７に示すように、吸気ブロワ９１は、両面吸気シロッコファンである。吸気ブロワ９１のベース部材側ブロワ吸気口９１ａが、プロジェクタの筐体のＤＭＤ１２と対向する対向面部であるベース部材５３に設けられた第１吸気口９２に対向するように、吸気ブロワ９１は、光変調部１０に取り付けられている。また、吸気ブロワ９１のベース部材側ブロワ吸気口９１ａの反対面も吸気口であるが、吸気量はベース部材側ブロワ吸気口９１ａの方が多い。ヒートシンク１３は、フィンの高さが所定の第１フィン部と、この第１フィン部よりもフィンの高さが高い第２フィン部とで形成されている。吸気ブロワ９１のブロワ排気口９１ｂが、ヒートシンク１３の第２フィン部と対向するように、吸気ブロワ９１は、第１フィン部に取り付けられている。吸気ブロワ９１を両面吸気シロッコファンとすることで、ヒートシンク１３の第１フィン部を効率的に冷却することができる。
【００８８】
先の図１４に示すように、水平ダクト９３は、その上面と下面の一部が開口しており、下面の開口部が、ベース部材５３に設けられたＤＭＤ冷却用吸気口９２と対向するように、プロジェクタ１のベース部材５３に固定されている。また、水平ダクト上面の開口部に光変調部１０のヒートシンク１３と、光変調部１０に取り付けられた吸気ブロワ９１とが貫通するように、光変調部１０が水平ダクト９３上に配置される。
【００８９】
吸気ブロワ９１は、ＤＭＤ冷却用吸気口９２を介してベース部材側ブロワ吸気口９１ａで外気を吸気し、ブロワ排気口９１ｂからヒートシンク１３の第２フィン部向けて外気を排気する。これにより、ヒートシンク１３の第２フィン部が、空冷される。ヒートシンク１３の第２フィン部が空冷されることにより、効率よくＤＭＤ１２を冷却することができ、ＤＭＤ１２が、高温になるのを抑制することができる。
【００９０】
図１４に示すように、吸気ブロワ９１によって流れが生じ、ヒートシンク１３を抜けた空気は、水平ダクト９３を移動していき、先の図５に示す光源部６０の光源ブラケット６２に設けられた通過部６５または開口部６５ａへ流入する。開口部６５ａへ流入した空気は、開閉カバー５４と光源ブラケット６２との間へと流れ、開閉カバー５４を冷却する。
【００９１】
一方、通過部６５へ流入した空気は、光源ブラケット６２を冷却した後、光源６１の出射側とは反対側の部分へ流入し、光源６１のリフレクタの反射面とは反対側を冷却することで、光源６１のリフレクタを冷却する。したがって、通過部６５を通過する空気は、光源ブラケット６２と光源６１の両方の熱を奪う。リフレクタ付近を通過した空気は、光源ブラケット６２の高さから排気ファン８６の下部付近の高さまでの空気を導く排気ダクト９４を通った後に、光源排気口６４Ｃから排気された空気と合流し、排気ファン８６により排気口８５から排出される。また、開口部６５ａを通って開閉カバー５４と光源ブラケット６２との間へ流入した空気は、開閉カバー５４を冷却した後、装置内部を移動して、排気ファン８６により排気口８５から排出される。
【００９２】
本実施形態においては、プロジェクタの筐体のＤＭＤ１２と対向する対向面部であるベース部材５３にＤＭＤ冷却用吸気口９２を設けている。これにより、ＤＭＤ冷却用吸気口９２から吸気された外気が、直接、ＤＭＤ１２へ流れ込む。よって、ダクトを経由してＤＭＤ１２に外気を流れ込ませる場合に比べて、装置内の熱により暖められることなく、ＤＭＤ１２を冷却することができる。
【００９３】
また、本実施形態においては、上述したように、吸気カバー８４ａの格子の幅を狭くして、開口率を上げているので、吸気口８４から装置外の空気が取りこまれやすくなっている。また、厚みの厚い補強格子部２８５以外の格子を通過する空気の圧力損失は、補強格子部２８５を通過する空気の圧力損失よりも少ない。これにより、吸気カバーの強度低下を抑制しつつ、吸気カバー８４ａの全体を厚くした場合に比べて、吸気カバー８４ａから取り込む空気を多くすることができる。これにより、排気ファン８６の回転数を上げずに、吸気口８４から取り込む装置外の空気を多くすることができ、電源部８０を良好に冷却することができる。その結果、排気ファン８６の風切り音による騒音も抑制することができる。
【００９４】
また、図２８に示すように、吸気口８４に、２つの吸気カバー８４ａ，８４ｂを設けてもよい。この場合、外側に配置される第２吸気カバー８４ｂと、内側の吸気カバー８４ａとの間に不図示の防塵フィルターを配置して、吸気カバー８４ａと第２吸気カバー８４ｂとで保持する。防塵フィルターを設けることで、吸気口８４から取り込まれた外気は、防塵フィルターを通って機内に流れ込む。このため、吸気口８４から機内に流れ込んだ装置外の空気には、塵や埃をほとんど含んでいない。これにより、吸気口８４から取り込まれた装置外の空気の一部が、曲面ミラー４２の下面とレンズホルダー３２との隙間から第２投射光学系４０内に流れ込んでも、曲面ミラー４２や折り返しミラー４１に塵や埃が付着するのを抑制することができる。これにより、経時にわたり、高品質な投射画像を投射面２に投射することができる。また、第２吸気カバー８４ｂを取り外すことで、簡単に防塵フィルターを取り外すことができ、防塵フィルターの清掃を容易に行うことができる。
【００９５】
防塵フィルターを設けると、防塵フィルターが空気の流れを妨げるため、吸気量が減るおそれがある。しかし、本実施形態においては、上述したように、補強格子部２８５を設けて吸気カバーの強度を確保し、吸気カバー８４ａの格子幅を狭めて開口率を上げている。従って、吸気カバー８４ａの強度を確保するために格子幅を狭くしている従来の吸気カバーを用いたものに比べて、吸気量の低下を抑制することができる。また、第２吸気カバー８４ｂは、破損しても、内側の吸気カバー８４ａが破損していなければ、ユーザーが、装置内に指などを差し込むことはない。従って、第２吸気カバー８４ｂについては、強度をさほど必要としない。従って、第２吸気カバー８４ｂについては、格子の幅をを狭くし開口率を上げて、多くの空気が取り込めるように構成しておくのが好ましい。
【００９６】
また、上述では、四角形状の開口を有する吸気カバーについて説明したが、格子の開口形状が四角以外の例えば図２９に示すように、格子の開口形状を円形状にしても同様の効果を得られる。
【００９７】
また、上述では、吸気カバー８４ａに本発明を適用したが、排気口８５に設けられた排気カバー８５ａに本発明を適用してもよい。
【００９８】
以上に説明したものは一例であり、本発明は、以下の態様毎に特有の効果を奏する。
（態様１）
吸気カバー８５ａなどの格子部を有し、格子部の格子の開口から吸気または排気を行う外装カバー５９などの筐体を備えたプロジェクタ１などの画像投射装置において、格子部の中央部を含む部分の厚みを、格子部の縁部周辺の厚みよりも厚くした。
（態様１）によれば、上述した検証試験で説明したように、格子部の中央部を含む部分の厚みを、格子部の縁部周辺の厚みよりも厚くすることにより、厚みが薄い従来の格子部（比較例１の吸気カバー１８４ａ）に比べて強度を上げることができる。また、格子部の縁部付近は筐体に接続されているため、格子部の中央部に比べて、強度が高い。従って、強度の弱い格子部の中央部を含む部分を厚くすることにより、効果的に格子部の強度を向上させることができる。これにより、格子幅を狭めて、開口率を上げても、所定の強度を維持することができ、格子部の強度を維持しつつ格子部の開口率を上げることができる。また、格子部の縁部付近は、薄くできるので、格子部全体を厚くする場合に比べて、材料費を削減でき、装置のコストアップを抑制することができる。
また、中央部付近に比べて厚みの薄い格子部の縁部周辺に対向配置された装置内の部材を、中央部よりも格子部に近づけて配置することができる。その結果、格子部全体の厚みを厚くしたものに比べて、装置の大型化を抑制することができる。また、格子部の縁部周辺の格子の開口を通過する空気の圧力損失を厚みの厚い中央部付近に比べて抑えることができる。これにより、格子部全体を厚くした場合に比べて、空気の圧力損失を抑えることができ、多くの空気を吸気または排気することができる。これにより、ファンの回転数を上げなくとも、多くの空気を吸排気することができ、効率的に、装置内の光源や電源装置などの熱源を空冷することができる。
【００９９】
（態様２）
（態様１）において、格子部の弾性変形の範囲内で、装置内部の部品と格子部とが接触するように構成した。
（態様２）によれば、格子部に衝撃などが加わって、格子部が装置内側へ弾性変形すると、装置内部の部品と接触する。これにより、装置内部の部品に格子部が支えられるような形となり、衝撃が吸収される。その結果、格子部の破損をより一層抑制することができる。
【０１００】
（態様３）
（態様２）において、格子部の中央部を含む部分が、装置内部の部品と接触するように構成した。
（態様２）によれば、格子部の中央部を含む部分が装置内部部品により支えられ、良好に衝撃を吸収することができる。
【０１０１】
（態様４）
（態様１）乃至（態様３）いずれかにおいて、格子部は、筐体の開口に、２つの吸気カバーなどの格子部材を重ねて取り付けて構成されている。
（態様４）によれば、２つの吸気カバーの間に防塵フィルターを保持することができる。また、外側に配置された吸気カバーなどの格子部材を取り外すだけで、防塵フィルターを取り外すことができ、防塵フィルターの清掃や交換を容易に行うことができる。
【０１０２】
（態様５）
（態様４）において、２つの格子部材のうち、内側に配置される格子部材の中央部を含む部分の厚みを、格子部材の縁部周辺の厚みよりも厚くした。
（態様５）によれば、補強格子部２８５などの格子の厚みの厚い部分を多少、スペースのある装置内部側に設けることができ、装置の大型化を避けることができる。
【符号の説明】
【０１０３】
１  プロジェクタ
２  投射面
１０  光変調部
２０  照明部
３０  第１投射光学系
３１  投射レンズ部
４０  第２投射光学系
４１  折り返しミラー
４２  曲面ミラー
４３  ミラーブラケット
４４  自由ミラーブラケット
４４ａ  腕部
４４ｂ  連結部
４５  ミラーホルダ
５０  制御基板
５２  固定部材
５９  外装カバー
６０  光源部
６１  光源
８０  電源部
８３  操作部
８４  吸気口
８４ａ  吸気カバー
８４ｂ  第２吸気カバー
８５  排気口
８５ａ  排気カバー
８６  排気ファン
１００  光学エンジン部
２８４  貫通孔
２８５  補強格子部
２８６  補強桟
【先行技術文献】
【特許文献】
【０１０４】
【特許文献１】特開２０１１−１５００１４号公報
【要約】
【課題】格子部の強度を維持しつつ格子の開口率を上げることができ、装置の大型化を抑制し、かつ、多くの空気を吸気または排気することができる画像投射装置を提供する。
【解決手段】吸気カバー８４ａの中央部に、他の格子よりよりも厚みが厚い補強格子部２８５が設けられている。また、この補強格子部２８５から、上下方向に延びる格子を形成する複数の桟のうち数本も、他よりも厚く構成された補強桟２８６となっている。制御基板５０は、吸気カバー８４ａの中央部よりも図中右側の厚みの薄い部分と対向するように配置されている。また、図のＤ方向からみたとき、上記制御基板５０の一部が、補強格子部２８５と重なるように配置されている。
【選択図】図２５【図１】
0005641458.tif 000002
【図２】
0005641458.tif 000003
【図３】
0005641458.tif 000004
【図４】
0005641458.tif 000005
【図５】
0005641458.tif 000006
【図６】
0005641458.tif 000007
【図７】
0005641458.tif 000008
【図８】
0005641458.tif 000009
【図９】
0005641458.tif 000010
【図１０】
0005641458.tif 000011
【図１１】
0005641458.tif 000012
【図１２】
0005641458.tif 000013
【図１３】
0005641458.tif 000014
【図１４】
0005641458.tif 000015
【図１５】
0005641458.tif 000016
【図１６】
0005641458.tif 000017
【図１７】
0005641458.tif 000018
【図２２】
0005641458.tif 000019
【図２３】
0005641458.tif 000020
【図２４】
0005641458.tif 000021
【図２５】
0005641458.tif 000022
【図２６】
0005641458.tif 000023
【図２７】
0005641458.tif 000024
【図２８】
0005641458.tif 000025
【図２９】
0005641458.tif 000026
【図１８】
0005641458.tif 000027
【図１９】
0005641458.tif 000028
【図２０】
0005641458.tif 000029
【図２１】
0005641458.tif 000030